(57)【特許請求の範囲】
【請求項１】
外周面に製版済みマスタの一端を係止するクランプ手段を有する多孔性で回転自在な版胴と、ロール状に巻成されたマスタを貯容するマスタ貯容手段と、前記マスタ貯容手段からのマスタを画像情報に応じて選択的に加熱穿孔する製版手段と、前記製版済みマスタを切断する切断手段と、前記版胴と前記切断手段との間の上方に配設され、前記製版済みマスタを搬入する開口を下部に有し、その内部に前記製版済みマスタを貯留するマスタストック手段と、前記切断手段と前記マスタストック手段との間に配設され、前記マスタストック手段に前記製版済みマスタを搬送するマスタ送り込み手段と、前記版胴と前記マスタストック手段との間に設けられ、前記クランプ手段に向けて前記製版済みマスタを搬送するマスタ送り出し手段と、前記マスタ送り込み手段と前記マスタ送り出し手段との間であって前記開口の下方に配設された前記製版済みマスタをガイドする案内板とを具備した孔版印刷装置であって、
前記マスタストック手段内に配設された、前記マスタの前記マスタ貯容手段への初期セット時において前記切断手段によって切断された前記マスタの切れ端を貯容するマスタカット貯容部と、
前記マスタの切れ端を前記マスタカット貯容部に向けて導く導入手段とを具備したことを特徴とする孔版印刷装置。
【請求項２】
前記マスタカット貯容部は、前記マスタストック手段内の前記開口より最も離れた底部側に設けられていることを特徴とする請求項１記載の孔版印刷装置。
【請求項３】
前記導入手段は、前記マスタカット貯容部の上方に配設された吸引ファンであることを特徴とする請求項１または請求項２記載の孔版印刷装置。
【請求項４】
前記マスタカット貯容部と前記導入手段との間に、前記マスタの切れ端を前記マスタカット貯容部に対して押圧する変位自在な押圧板を具備したことを特徴とする請求項１、請求項２または請求項３記載の孔版印刷装置。
【請求項５】
前記マスタカット貯容部と前記押圧板は、前記マスタの切れ端の限界貯容量を検知する貯容量検知手段を具備することを特徴とする請求項４記載の孔版印刷装置。
【請求項６】
前記マスタカット貯容部は実質的に箱型であり、該マスタカット貯容部は前記マスタストック手段に対して着脱自在に設けられていることを特徴とする請求項１、請求項２、請求項３、請求項４または請求項５記載の孔版印刷装置。
【請求項７】
前記案内板は、その前記マスタ送り込み手段側が軸支されて回動自在に設けられており、前記マスタの切れ端が前記マスタカット貯容部に導入される際に回動手段によって回動されることを特徴とする請求項１、請求項２、請求項３、請求項４、請求項５または請求項６記載の孔版印刷装置。
【発明の詳細な説明】
【０００１】
【産業上の利用分野】
本発明は、サーマルヘッド等の発熱体で穿孔されたマスタを巻装して印刷を行う孔版印刷装置に関する。
【０００２】
【従来の技術】
従来より簡便な印刷方法として、デジタル式感熱孔版印刷が知られている。これは、微細な発熱素子が一列に配置されたサーマルヘッドを感熱孔版マスタ（以下、「マスタ」という）に接触させ、パルス的に発熱素子に通電させながらマスタを搬送することで画像情報に応じてマスタを溶融穿孔し、このマスタを多孔性の円筒状版胴の外周面に巻装した後、穿孔した部分よりインキを透過させて用紙に転移させることにより印刷画像を形成するものである。
【０００３】
この印刷に用いられる孔版印刷装置では、版胴外周面上に巻装された使用済みマスタを剥離して排版ボックスに廃棄する排版動作、サーマルヘッドでマスタを溶融穿孔しつつプラテンローラーで搬送する製版動作、製版済みマスタを版胴に巻装する給版動作、給紙装置によって給送された印刷用紙に対して印刷画像を形成する印刷動作等の一連の動作を経て印刷が行われる。
【０００４】
従来、孔版印刷装置での印刷は、装置のオペレーターが装置本体に原稿をセットし、製版開始スイッチを投入してから排版動作が開始され、排版動作完了後に製版動作が開始され、製版動作と並行して給版動作が行われ、給版動作完了後に印刷動作が行われる。
【０００５】
しかしこの装置では、排版動作が完了した後に製版動作が行われるため、次版の製版に際して排版動作の完了を待たねばならず、オペレーターが製版開始スイッチを投入してから一連の動作を経て最初の印刷物が排出されるまでの時間であるファースト・プリント・タイム（以下、「ＦＰＴ］という）が長くなってしまうという問題点があった。
【０００６】
そこで、製版済みマスタを貯留するマスタストック手段を設け、排版動作と並行して製版動作を行う技術が特開昭６１−２８７７８１号公報に、類似の技術が特開昭６１−２６１０８８号公報及び特開昭６２−２５０８０号公報にそれぞれ開示されている。
【０００７】
【発明が解決しようとする課題】
しかし、上記特開昭６１−２８７７８１号公報、特開昭６１−２６１０８８号公報及び特開昭６２−２５０８０号公報にそれぞれ開示された技術では、装置に新しいマスタをセットする場合に、オペレーターは装置本体上部の画像読取装置を大きくスライドさせ、オペレーター自らの手でプラテンローラー、マスタ送り込み手段を経てマスタ送り出し手段までの長距離にわたりマスタを引き出してセットした後、切断手段によってマスタを切断し、装置内に手を入れて切断されたマスタの切れ端を取り出さなくてはならず、危険であると共に、マスタのセット作業を行うにはある程度の熟練度を必要とするため、専任のオペレーターを置かなくてはならないという問題点がある。
【０００８】
本発明は、上記各問題点を解決し、排版動作と製版動作とを並行して行うことによってＦＰＴを短縮し、かつ、専任のオペレーターを必要とすることなくマスタのセット作業を簡単に行うことができる孔版印刷装置を提供するものである。
【０００９】
【課題を解決するための手段】
請求項１記載の発明は、外周面に製版済みマスタの一端を係止するクランプ手段を有する多孔性で回転自在な版胴と、ロール状に巻成されたマスタを貯容するマスタ貯容手段と、前記マスタ貯容手段からのマスタを画像情報に応じて選択的に加熱穿孔する製版手段と、前記製版済みマスタを切断する切断手段と、前記版胴と前記切断手段との間の上方に配設され、前記製版済みマスタを搬入する開口を下部に有し、その内部に前記製版済みマスタを貯留するマスタストック手段と、前記切断手段と前記マスタストック手段との間に配設され、前記マスタストック手段に前記製版済みマスタを搬送するマスタ送り込み手段と、前記版胴と前記マスタストック手段との間に設けられ、前記クランプ手段に向けて前記製版済みマスタを搬送するマスタ送り出し手段と、前記マスタ送り込み手段と前記マスタ送り出し手段との間であって前記開口の下方に配設された前記製版済みマスタをガイドする案内板とを具備した孔版印刷装置であって、前記マスタストック手段内に配設された、前記マスタの前記マスタ貯容手段への初期セット時において前記切断手段によって切断された前記マスタの切れ端を貯容するマスタカット貯容部と、前記マスタの切れ端を前記マスタカット貯容部に向けて導く導入手段とを具備したことを特徴とする。
【００１０】
請求項２記載の発明は、請求項１記載の孔版印刷装置において、さらに、前記マスタカット貯容部は、前記マスタストック手段内の前記開口より最も離れた底部側に設けられていることを特徴とする。
【００１１】
請求項３記載の発明は、請求項１または請求項２記載の孔版印刷装置において、さらに、前記導入手段は、前記マスタカット貯容部の上方に配設された吸引ファンであることを特徴とする。
【００１２】
請求項４記載の発明は、請求項１または請求項２または請求項３記載の孔版印刷装置において、さらに、前記マスタカット貯容部と前記導入手段との間に、前記マスタの切れ端を前記マスタカット貯容部に対して押圧する変位自在な押圧板を具備したことを特徴とする。
【００１３】
請求項５記載の発明は、請求項４記載の孔版印刷装置において、さらに、前記マスタカット貯容部と前記押圧板は、前記マスタの切れ端の限界貯容量を検知する貯容量検知手段を具備することを特徴とする。
【００１４】
請求項６記載の発明は、請求項１、請求項２、請求項３、請求項４または請求項５記載の孔版印刷装置において、さらに、前記マスタカット貯容部は実質的に箱型であり、該マスタカット貯容部は前記マスタストック手段に対して着脱自在に設けられていることを特徴とする。
【００１５】
請求項７記載の発明は、請求項１、請求項２、請求項３、請求項４、請求項５または請求項６記載の孔版印刷装置において、さらに、前記案内板は、その前記マスタ送り込み手段側が軸支されて回動自在に設けられており、前記マスタの切れ端が前記マスタカット貯容部に導入される際に回動手段によって回動されることを特徴とする。
【００１６】
【作用】
請求項１記載の発明によれば、マスタ貯容手段への初期セット時において、切断手段によって切断されたマスタの切れ端は、導入手段に導かれ、マスタストック手段内のマスタカット貯容部に貯容される。
【００１７】
請求項４記載の発明によれば、切断手段によって切断されたマスタの切れ端は、押圧板によってマスタカット貯容部に押圧されて貯容される。
【００１８】
請求項５記載の発明によれば、マスタカット貯容部に貯容されたマスタの切れ端は、貯容量検知手段によってその限界貯容量を検知される。
【００１９】
請求項６記載の発明によれば、実質的に箱型のマスタカット貯容部は、マスタストック手段に対して着脱自在に設けられている。
【００２０】
請求項７記載の発明によれば、切断手段によって切断されたマスタの切れ端がマスタカット貯容部に導入される際に、そのマスタ送り込み手段側が軸支されて回動自在に設けられた案内板が回動手段によって回動される。
【００２１】
【実施例】
本発明の第１の実施例を示す図１において、図示されない駆動手段で回転駆動される版胴１は、その外周部にマスタの先端部を係止するクランプ手段としてのクランパー２を有している。クランパー２は軸２ａで版胴１の外周面に枢着され、図示しない開閉手段により駆動力を伝達されて回動自在となっている。版胴１の内部には、図示しない周知のインキ供給手段が配設されている。
【００２２】
版胴１の右上方には、マスタ貯容手段３、製版手段４、切断手段５、マスタストック手段６、マスタ送り込み手段７、マスタ送り出し手段８、案内板９等が配設されている。
マスタ貯容手段３は、ケース１０、マスタロール１１、マスタ支持部材１２等から主に構成されている。マスタ１１ａをロール状に巻装してなるマスタロール１１は、その芯部をマスタ支持部材１２に支持されており、マスタ支持部材１２は、孔版印刷装置本体に取り付けられたケース１０の図示しない側板に回転自在に支持されている。
【００２３】
マスタロール１１の配設位置より左方には、サーマルヘッド１３とプラテンローラー１４とからなる製版手段４が配設されている。サーマルヘッド１３は、孔版印刷装置本体の図示しない側板に取り付けられており、マスタロール１１より引き出されたマスタ１１ａに対して溶融穿孔を行い、製版済みマスタを形成する。プラテンローラー１４は、孔版印刷装置本体の側板に回転自在に支持されていると共に、図示しない付勢手段によってサーマルヘッド１３に付勢されており、図示しない駆動手段で回転駆動され、マスタをサーマルヘッド１３に押圧しつつ下流側へと搬送する。
【００２４】
製版手段４のマスタ搬送方向下流側には、可動刃１５、固定刃１６からなる切断手段５が配設されている。この切断手段５は、可動刃１５が固定刃１６に対して回転移動し、製版済みマスタを切断する。
切断手段５のマスタ搬送方向下流側には、送り込み駆動ローラー１７、送り込み従動ローラー１８からなるマスタ送り込み手段７が配設されている。送り込み駆動ローラー１７及び送り込み従動ローラー１８は、孔版印刷装置本体の側板に回転自在に支持されており、送り込み駆動ローラー１７は図示しない駆動手段で回転駆動される。送り込み従動ローラー１８は、送り込み駆動ローラー１７と連れ回りする。
【００２５】
マスタ送り込み手段７のマスタ搬送方向下流側には、送り出し駆動ローラー１９、送り出し従動ローラー２０、マスタガイド板２１からなるマスタ送り出し手段８が配設されている。送り出し駆動ローラー１９及び送り出し従動ローラー２０も上記各ローラーと同様に孔版印刷装置本体の側板に回転自在に支持されている。送り出し駆動ローラー１９は図示しない駆動手段で回転駆動され、送り出し従動ローラー２０は送り出し駆動ローラー１９と連れ回りする。マスタガイド板２１は孔版印刷装置本体の側板に固設され、マスタ送り出し手段８より搬送される製版済みマスタをクランパー２へと案内する。
マスタ送り込み手段７とマスタ送り出し手段８との間には、案内板９が配設されている。案内板９は、マスタ送り込み手段７とマスタ送り出し手段８とを連絡すべく配設されており、そのマスタ送り込み手段７側の端部において、支軸９ａにより回動自在に軸支されている。支軸９ａには図示しない歯車が固着されており、この歯車は図示しないステッピングモーターの出力軸に固着された歯車と噛合している。
【００２６】
図２は、第１の実施例におけるマスタストック手段６を示している。同図において、マスタストック手段６は、マスタ貯容手段３、製版手段４、切断手段５、マスタ送り込み手段７、案内板９の上方に配設されており、筐体２２、吸引ファン２３、撓みセンサー２４、導入手段としての吸引ファン２５、マスタカット貯容部２６、押圧板２７等から主に構成されている。
【００２７】
筐体２２は、金属板や樹脂板等で形成された側板２２ａ，２２ｂ、上板２２ｃ、底板２２ｄ，２２ｅ、図示を省略した印刷装置前面側の側板、印刷装置後面側の側板２２ｈから一体的に構成されており、案内板９の上方に開口２２ｆを有している。マスタ貯容手段３側寄りの側板２２ｂには切欠部２２ｇが形成され、マスタ貯容手段３の上方に位置する底板２２ｄに接続した底板２２ｅは、製版手段４と切断手段５とマスタ送り込み手段７との上方において、上方に向けて湾曲した形状を呈している。
【００２８】
上板２２ｃの上面であって開口２２ｆと対応する位置には吸引ファン２３が、また、底板２２ｄと対応する位置には吸引ファン２５が取り付けられている。上板２２ｃの、各吸引ファン２３，２５が取り付けられる部位には、各吸引ファン２３，２５が作動したときに、筐体２２内の空気を流動させるための図示しない開口が設けられている。
【００２９】
側板２２ａの外側には、ブラケット２４ａが固着されており、ブラケット２４ａには、検知部を側板２２ａ側に向けて撓みセンサー２４が取り付けられている。側板２２ａには、撓みセンサー２４の光軸が通過するための図示しない孔が形成されている。
【００３０】
開孔２２ｆより最も離れた位置に配設された底板２２ｄの上面には、箱型を呈したマスタカット貯容部２６が配設されている。マスタカット貯容部２６は、その一側面によって切欠部２２ｇを埋め、側板２２ｂの外面と同一平面を構成する。さらに、マスタカット貯容部２６の、図２において紙面奥側の側面には、後述する支軸２７ａが垂直方向に上下動するための図示しない溝部が形成されている。また、側板２２ｂの外方に位置する孔版印刷装置本体の側板２８には、切欠部２２ｇよりも大きく、かつ、切欠部２２ｇを含むように形成された切欠部２８ａが設けられており、この切欠部２８ａには、支軸２９ａを中心に外方へ向けて回動自在に設けられた蓋２９が配設されている。蓋２９は、その自由端部において側板２８と係脱自在に構成されており、切欠部２８ａを覆い側板２８と係合した状態で、側板２８と同一平面を構成する。マスタカット貯容部２６は、蓋２９が外方に回動して切欠部２８ａが開放された図２に示す状態において、図に二点鎖線で示すように切欠部２２ｇより右方に移動させることで、マスタストック手段６からの取り外しが可能となっている。また、側板２２ｂの外側であって、側板２８と蓋２９との係合部に対応する位置には、側板２８と蓋２９との係合が解除されたときに信号を出力する開閉センサー３０が設けられている。
【００３１】
押圧板２７は、図３に示すように、上部に設けられた支軸２７ａによって支持されており、支軸２７ａは側板２２ｈの外側に設けられた上下動機構３１によって支持されている。押圧板２７には、吸引ファン２５の空気流による吸引力を下方へ伝達させるための開孔２７ｂが複数形成されている。
【００３２】
上下動機構３１は、モーター３２、ギヤ３３，３４，３５，３６，３７，３８、リンク３９、アクチュエーター４０、動滑車４１、バネ４２、上死点センサー４３、下死点センサー４４、貯容量検知手段としての定量センサー４５、定滑車４６から主に構成されている。
リンク３９は、その中心部に形成された長穴部３９ｃにおいてギヤ３８に、かつ、その一端を支軸３９ａに揺動自在に支持されており、ギヤ３８の回動に伴って、その自由端部が支軸３９ａを中心に上下動自在となっている。リンク３９の自由端部には、アクチュエーター４０が載置されている。支軸２７ａが固着されたアクチュエーター４０は、図示しない付勢手段によって上方に付勢されており、動滑車４１を回転自在に支持している。支軸２７ａは、側板２２ｈに形成された図示しない溝によって、垂直方向に上下動自在にガイドされている。動滑車４１と定滑車４６とに掛け渡されたバネ４２は、そのバネ定数が、アクチュエーター４０を上方に付勢する図示しない付勢手段のバネ定数よりも僅かに大きくなるように設定されている。
【００３３】
上下動機構３１は、モーター３２の回転力を各ギヤを介して伝達し、リンク３９を支軸３９ａを中心に揺動させてその自由端と当接したアクチュエーター４０を上下動作せることにより、支軸２７ａ及び押圧板２７を、図２の実線位置と二点鎖線位置との間で上下動作せるように構成されている。上死点センサー４３と定量センサー４５とはアクチュエーター４０に設けられた検知片４０ａを、下死点センサー４４はリンク３９の凸部３９ｂをそれぞれ検知して信号を送出する。下死点センサー４４は、凸部３９ｂによってその作動片４４ａが押されて信号を発するとき、押圧板２７の下面がマスタカット貯容部２６の底面と当接することで、リンク３９の自由端部とアクチュエーター４０との当接が僅かに離れる位置に配置されている。
【００３４】
版胴１の右方であってマスタ貯容手段３の下方には、給紙装置４７が配設されている。給紙装置４７は、給紙トレイ４８、給紙ローラー４９、分離ローラー５０、レジストローラー対５１、ガイド板５２、５３等から主に構成されている。
排紙トレイ４８はその上に印刷用紙Ｐを積載され、給紙装置本体４７ａに上下動自在に支持されている。給紙トレイ４８は印刷用紙Ｐの増減と連動して上下動される。給紙ローラー４９と分離ローラー５０とは、最上位の印刷用紙Ｐと当接するように設けられており、各ローラーは図示しない駆動手段で回転駆動される。分離ローラー５０の印刷用紙搬送方向下流側には、レジストローラー対５１が配設されている。レジストローラー対５１は、搬送された印刷用紙Ｐの先端を啣え込み、タイミングをとって版胴１の外周面と後述するプレスローラーとの間に搬送する。ガイド板５２，５３は孔版印刷装置本体の図示しない側板に固着されており、印刷用紙Ｐの給紙をガイドする。
【００３５】
版胴１の下方近傍には、給紙装置４７から搬送された印刷用紙Ｐを版胴１の外周面に押圧するプレスローラー５４、及び版胴１の外周面より印刷済み用紙を剥離する剥離爪５５が配設されている。プレスローラー５４は、孔版印刷装置本体の図示しない側板に揺動自在に支持された支軸５４ａに固着されており、揺動手段５４ｂで揺動される。剥離爪５５も孔版印刷装置本体の図示しない側板に揺動自在に支持された支軸５５ａに固着されており、図示しない揺動手段で揺動される。
【００３６】
版胴１の左下方には排紙装置５６が配設されている。排紙装置５６は、従動ローラー５７、駆動ローラー５８、ゴムベルト５９、ファン６０、排紙トレイ６１等から主に構成されている。
従動ローラー５７と駆動ローラー５８とは排紙装置本体５６ａの側板に回転自在に支持されており、各ローラー５７，５８間には、表面に複数の開孔を有するゴムベルト５９が掛け渡されている。駆動ローラー５８は図示しない駆動手段で回転駆動され、この回転力はゴムベルト５９を介して従動ローラー５７に伝達される。各ローラー５７，５８の間であって排紙装置本体５６ａの下部には、ファン６０が配設されている。ファン６０は、その回転により図において下向きの空気流を発生させ、ゴムベルト５９の表面に印刷済み用紙を吸引する。駆動ローラー５８の印刷用紙搬送方向下流側には、印刷済み用紙を積載する排紙トレイ６１が、排紙装置本体５６ａと一体的に形成されている。
【００３７】
版胴１の左上方には排版装置６２が配設されている。排版装置６２は、上部排版部材６３、下部排版部材６４、排版ボックス６５、圧縮板６６等から主に構成されている。
上部排版部材６３は、図示しない駆動手段で回転駆動される駆動ローラー６７と従動ローラー６８、及び各ローラー間に掛け渡されたゴムベルト６９とから構成されている。下部排版部材６４は、駆動ローラー６７と図示しないギヤによって連結され回転駆動される駆動ローラー７０と従動ローラー７１、及び各ローラー７０，７１間に掛け渡されたゴムベルト７２とから構成されている。また、下部排版部材６４は、駆動ローラー６７の中心軸を中心に左右方向に移動自在となっており、図示しない移動手段で移動される。下部排版部材６４の移動により、駆動ローラー７０の外周面は版胴１の外周面と接離自在となっている。内部に使用済みマスタを貯容する排版ボックス６５は、排版装置本体に対して着脱自在に設けられており、その上方には、図示しない昇降手段によって上下動される圧縮板６６が配設されている。
【００３８】
以下、動作を説明する。
マスタ支持部材１２にマスタロール１１がセットされ、オペレーターが図示しない操作パネル上のマスタカットスイッチを投入すると、図示しない制御手段からの指令により、プラテンローラー１４を駆動する図示しないステッピングモーターと送り込み駆動ローラー１７を駆動する図示しない駆動手段とが作動し、プラテンローラー１４と送り込み駆動ローラー１７とが時計回り方向に回転駆動されてマスタ１１ａが右方へ搬送される。各ローラー１４，１７の駆動と同時に、制御手段からの指令によりモーター３２が作動して押圧板２７が上昇し、検知片４０ａが上死点センサー４３に検知されてその信号が制御手段に出力されると、制御手段からの指令によりモーター３２の作動が停止し、押圧板２７が図４の実線位置で停止する。
【００３９】
押圧板２７が実線位置で停止すると、制御手段からの指令により吸引ファン２５が回転を開始して図４の矢印方向に筐体２２内の空気を流動させると共に、制御手段からの指令により支軸９ａを回動させる図示しないステッピングモーターが作動し、案内板９が図４の二点鎖線位置から時計回り方向に回動され、ステッピングモーターのステップ数より所定位置である実線位置に達したと制御手段が判断すると、ステッピングモーターの回転が停止して案内板９が位置決めされる。
【００４０】
案内板９の位置決めが完了し、プラテンローラー１４とマスタ送り込み手段７とによってマスタ１１ａが所定量搬送されると、制御手段から指令が送られて可動刃１５が固定刃１６に対して回転移動してマスタ１１ａが切断される。切断後、マスタ送り込み手段７によって筐体２２の内部に送り込まれたマスタ１１ａの切れ端１１ｂは、吸引ファン２５の吸引力によって図５の一点鎖線矢印方向に運ばれ、押圧板２７の下面に貼り付く。
【００４１】
マスタ１１ａが切断手段５によって切断されると、制御手段からの指令によって支軸９ａを回動させる図示しないステッピングモーターが作動し、案内板９が反時計回り方向に回動され、図４の実線位置に再び位置決めされる。案内板９の位置決めが完了すると、制御手段からの指令によってプラテンローラー１４が回転し、マスタ１１ａの切断後の先端がマスタ送り込み手段７によって挟持される初期設定位置まで搬送されると、プラテンローラー１４の回転が停止する。制御手段は、プラテンローラー１４の回転を停止させた後、吸引ファン２５の作動を停止させると共に、モーター３２を作動させて押圧板２７を下方へと移動させる。押圧板２７の下面に貼り付いていた切れ端１１ｂは、その自重と押圧板２７の下降とによって下方へ運ばれ、マスタカット貯容部２６の内部に確実に貯容される。
【００４２】
押圧板２７は、モーター３２が回転してリンク３９が支軸３９ａを中心に時計回り方向に回動し、リンク３９の自由端と当接するアクチュエーター４０がバネ４２の付勢力によって下方に移動されることにより、側板２２ｈに形成された図示しない溝に沿って垂直下方に移動され、押圧板２７が切れ端１１ｂを介してマスタカット貯容部２６の底面と当接した図に二点鎖線で示す位置で停止する。押圧板２７が切れ端１１ｂをマスタカット貯容部２６の底面に押圧する力、つまり、アクチュエーター４０を上方へ付勢する図示しない付勢手段の付勢力を僅かに上回るバネ４２の下方への付勢力は、切れ端１１ｂを僅かに押さえつける適切な付勢力に予め調整されている。
【００４３】
リンク３９が回動し、凸部３９ｂが作動片４４ａに当接して下死点センサー４４からの信号が制御手段に入力されると、制御手段はモーター３２の作動を停止させる。リンク３９の回動に伴って、上述のようにアクチュエーター４０が垂直下方に移動するが、この移動途中において作動片４０ａは定量センサー４５を横切り、定量センサー４５は制御手段へ信号を出力する。制御手段は、通常はこの定量センサー４５からの信号を受けた後に下死点センサー４４からの信号を受けてモーター３２の作動を停止させるのであるが、切れ端１１ｂがマスタカット貯容部２６の内部に定量溜まり、押圧板２７の垂直下方への移動が多量の切れ端１１ｂによって妨げられて、作動片４０ａが定量センサー４５を横切る前にアクチュエーター４０の下降が停止することにより、定量センサー４５からの信号を受ける前に下死点センサー４４からの信号を受けてモーター３２の作動を停止させた場合には、図示しない操作パネル上に「切れ端定量」の表示をさせて、オペレーターにマスタカット貯容部２６からの切れ端１１ｂの除去を促すように構成されている。
【００４４】
ここで、マスタカット貯容部２６からの切れ端１１ｂの除去動作について説明する。
オペレーターは、図示しない操作パネル上の表示を確認し、装置が待機状態であることを確認した後、蓋２９を図２に示す位置に回動させる。この回動に伴って開閉センサー３０がオンされ、開閉センサー３０は制御手段に信号を出力する。開閉センサー３０からの信号を受けた制御手段は、モーター３２を作動させてリンク３９を反時計回り方向に回動させる。リンク３９の回動により、アクチュエーター４０が上方に押し上げられ、やがてその作動片４０ａが上死点センサー４３に到達して、上死点センサー４３からの信号が制御手段に送られると、制御手段はモーター３２の作動を停止させる。この動作により、押圧板２７が図２に実線で示す位置に位置決めされ、オペレーターはマスタカット貯容部２６を図２の右方に引き出して、その内部に貯容された切れ端１１ｂを除去する。この後、マスタカット貯容部２６を再び装置の内部に戻して蓋２９を閉めることにより、装置は待機状態に復帰する。
【００４５】
マスタカットスイッチの押下によって、マスタ１１ａの先端が初期設定位置に位置決めされ、押圧板２７が図の二点鎖線位置に位置決めされた後、オペレーターによって図示しない操作パネル上の製版開始スイッチが押下されると、製版行程と排版行程とが開始される。
製版開始スイッチが押下されると、その外周面に使用済みマスタを巻装している版胴１は、図示しない駆動手段により反時計回り方向に回転を開始する。そして版胴１が、その外周面に巻装した使用済みマスタの後端が駆動ローラー７０と対向する所定の排版位置に到達すると、図示しない移動手段と駆動手段とが作動し、駆動ローラー７０を回転させると共に下部排版部材６４を版胴１側に移動させる。駆動ローラー７０の外周面が版胴１の外周面上の使用済みマスタと当接したとき、版胴１は反時計回り方向に回転し続けており、駆動ローラー７０と当接してすくい上げられた使用済みマスタは、下部排版部材６４と上部排版部材６３とで挟持されて版胴１の外周面より剥離される。剥離された使用済みマスタは下部排版部材６４と上部排版部材６３とで搬送され、排版ボックス６５の内部に廃棄される。
【００４６】
版胴１の外周面より使用済みマスタが全て剥離されると、版胴１はさらに回転して図１に示す給版位置に停止する。版胴１が給版位置に停止すると、図示しない開閉手段が作動してクランパー２を時計回り方向に回動させ、版胴１は図１に示す給版待機状態となり、排版行程が完了する。
【００４７】
上記の排版行程と並行して、製版手段４では製版行程が行われる。
オペレーターが製版開始スイッチを押下すると、プラテンローラー１４、送り込み駆動ローラー１７、送り出し駆動ローラー１９がそれぞれ図示しない駆動手段で回転駆動される。マスタ１１ａはプラテンローラー１４、マスタ送り込み手段７に搬送されつつ、サーマルヘッド１３で穿孔製版されて搬送される。プラテンローラー１４を駆動する図示しないステッピングモーターのステップ数より、製版された製版済みマスタの先端が案内板９に案内されて送り出し駆動ローラー１９と送り出し従動ローラー２０とで挟持されたと判断すると、送り出し駆動ローラー１９の回転が停止される。
【００４８】
先端をマスタ送り出し手段８に挟持された製版済みマスタの未製版部分であるマスタ１１ａには、引き続きサーマルヘッド１３での穿孔製版が行われる。そして先端をマスタ送り出し手段８に挟持された製版済みマスタは、その後続部をプラテンローラー１４及びマスタ送り込み手段７でさらに搬送されることにより、その中間部が案内板９上より上方に向かって凸状に撓み、マスタストック手段６の開口２２ｆからマスタストック手段６の内部に搬送される。このときには吸引ファン２３が回転して筐体２２内部の空気を上方に流動させているので、製版済みマスタはマスタストック手段６の内部に良好に導入され、貯留される。製版済みマスタが、案内板９上よりジャムすることなくマスタストック手段６の内部に搬送されたか否かは、撓みセンサー２４がオンすることにより確認される。また、マスタストック手段６の製版済みマスタのストック長さは、排版装置６２が排版動作を行っている間に製版手段４によって製版される製版済みマスタの長さに対して、十分なストック長さであることはいうまでもない。
【００４９】
製版行程と排版行程とが完了して版胴１が給版待機状態となると、給版行程が開始される。
停止していた送り出し駆動ローラー１９は再び回転を開始し、製版済みマスタは、マスタガイド板２１に案内されてクランパー２へと搬送され、クランパー２が閉じることによりその先端部を版胴１の外周面に係止される。次に版胴１は図１の時計回り方向に回転し、その外周面に製版済みマスタを巻装する。この巻装時においても吸引ファン２３は作動しており、マスタストック手段６の内部の製版済みマスタには適度の張力が継続して付与されているので、ジャムの発生が抑制されている。
【００５０】
巻装が進行し、マスタストック手段６の内部に貯留された製版済みマスタが全て版胴１へと搬送されて撓みセンサー２４がオフすると、版胴１及び送り出し駆動ローラー１９の回転が一時停止される。この間にも製版手段４ではマスタ１１ａに対する製版が継続して行われており、プラテンローラー１４及び送り込み駆動ローラー１７は回転しているので、案内板９上に搬送された製版済みマスタは再びマスタストック手段６の内部に搬送され、撓みセンサー２４をオンさせる。撓みセンサー２４がオンした後、一定時間が経過してマスタストック手段６の内部に一定量の製版済みマスタが貯留されると、停止していた版胴１及び送り出し駆動ローラー１９が再び回転し、マスタストック手段６の内部に貯留された製版済みマスタを版胴１の外周面に巻装する。このように撓みセンサー２４のオン−オフ動作に伴って、版胴１及び送り出し駆動ローラー１９が間欠的に回転して、版胴１外周面への製版済みマスタの給版行程が進行する。
【００５１】
プラテンローラー１４を駆動する図示しないステッピングモーターのステップ数より、１版分の製版済みマスタが版胴１に巻装されたと判断すると、プラテンローラー１４、送り込み駆動ローラー１７、送り出し駆動ローラー１９、版胴１の回転がそれぞれ停止され、切断手段５が製版済みマスタを切断する。その後、再び版胴１が回転して、マスタ送り込み手段７とマスタ送り出し手段８に挟持された残りの製版済みマスタを巻装して、給版行程が完了する。
【００５２】
給版行程完了後、給紙トレイ４８上の１枚の印刷用紙Ｐが給紙ローラー４９と分離ローラー５０とで分離給送される。その後印刷用紙Ｐはガイド板５２，５３に案内されて給送され、レジストローラー対５１によりタイミングをとられた後、プレスローラー５４と低速で回転している版胴１の外周面との間に給送される。給送された印刷用紙Ｐは、揺動手段５４ｂによって揺動されるプレスローラー５４によって、版胴１の外周面に巻装された製版済みマスタに押圧される。この押圧動作により、プレスローラー５４と印刷用紙Ｐと製版済みマスタと版胴１の外周面とが圧接し、図示しないインキ供給手段によって版胴１の内周面に供給されたインキは、版胴１の外周面の開孔部より滲出した後、版胴１の外周面と製版済みマスタとの空隙部に充填され、製版済みマスタの穿孔部を介して印刷用紙Ｐの表面に転写される。インキを転移された印刷用紙Ｐは、剥離爪５５で版胴１の外周面より剥離されて下方へと落下し、吸引ファン６０の吸引力によってゴムベルト５９の上面に引き付けられつつ左方へと搬送され、排紙トレイ６１上に排出される。この一連の動作により版付行程が完了する。
【００５３】
上述の製版、排版、給版、版付の各行程が完了した後、オペレータによって、図示しない操作パネル上で印刷速度や印刷枚数等の印刷条件が設定された後、印刷開始スイッチが押下されると、版胴１が高速で回転駆動され、給紙装置４７が印刷用紙Ｐを連続的に給送して、印刷行程が行われる。
【００５４】
図６は、本発明の第２の実施例に用いられるマスタストック手段７３を示している。この第２の実施例において、上述の第１の実施例におけるマスタストック手段６と同様の部位には、第１の実施例と同じ符号を付し、個々の詳細な説明は省略する。
【００５５】
マスタストック手段７３は、筐体７４、吸引ファン２３、撓みセンサー２４、導入ファンとしての吸引ファン２５、マスタカット貯容部７５、押圧板７６等から主に構成されている。
【００５６】
筐体７４は、マスタ貯容手段３、製版手段４、切断手段５、マスタ送り込み手段７、案内板９の上方に配設されており、案内板９の上方に位置する部位であって吸引ファン２３の下方に位置する部位に開口７４ａを有している。また、開口７４ａが形成された部位から最も離れた部位である、マスタ貯容手段３と製版手段４との上方に位置する部位であって吸引ファン２５の下方に位置する部位には、マスタカット貯容部７５が、その底部側に配設されている。マスタカット貯容部７５はマスタカット貯容部２６と同様に、蓋２９が外方に回動して切欠部２８ａが開放された図に二点鎖線で示す状態において、マスタストック手段７３からの取り外しが可能となっている。マスタカット貯容部７５の、図６において紙面奥側の側面には、後述する作動片７６ｃが移動するための溝７５ａが形成されている（図７、図９参照）。筐体７４は、開口７４ａが形成された部位とマスタカット貯容部７５が配設された部位との間の部位である切断手段５とマスタ送り込み手段７との上方に位置する部位において、高さ方向に括れた形状を呈している。
【００５７】
自由端部を櫛歯状に形成された押圧板７６は、図７に示すように、支軸７６ａが一体形成された基端部を、筐体７４に固設された軸受７７によって回動自在に支持されている。支軸７６ａの、軸受７７より突出した一端にはアーム７６ｂが一体形成されており、このアーム７６ｂは、孔版印刷装置本体に固設されたモーター７８の出力軸７８ａに固着されたカム７９の外周面と当接している。支軸７６ａには図示しないトーションスプリングが取り付けられており、このトーションスプリングの付勢力によって、支軸７６ａは、平生、アーム７６ｂをカム７９の外周面に当接させる方向（図６において押圧板７６を反時計回り方向に回動させる方向）に付勢されている。カム７９は、図８に示すように、その長軸部Ａがアーム７６ｂと当接する状態において、押圧板７６の自由端部が筐体７４の上板と当接する図６の実線位置を占めるように、また、その短軸部Ｂがアーム７６ｂと当接する状態において、押圧板７６の自由端部がマスタカット貯容部７５の底面と当接する図６の二点鎖線位置を占めるようにその形状を定められている。
【００５８】
押圧板７６の自由端部の、アーム７６ｂが形成された側の側端には、作動片７６ｃが一体形成されている。作動片７６ｃは、モーター７８の作動によるアーム７６ｂの回動に伴って溝７５ａに沿って移動する。筐体７４の側面内部であって、作動片７６ｃの移動経路の途中の、作動片７６ｃが溝７５ａへの進入を開始する位置と対応する部位には、貯容量検知手段としての定量センサー８０が配設されている。定量センサー８０は作動片７６ｃを検知し、制御手段へ向けて信号を発する。
【００５９】
上記構成に基づき、以下に第２の実施例の動作を説明する。
オペレーターが図示しない操作パネル上のマスタカットスイッチを投入すると、図示しない制御手段からの指令により、第１の実施例と同様にプラテンローラー１４と送り込み駆動ローラー１７とが時計回り方向に回転駆動されてマスタ１１ａが右方へ搬送される。各ローラー１４，１７の駆動と同時に、制御手段からの指令によりモーター７８が作動し、カム７９の長軸部Ａがアーム７６ｂと当接して押圧板７６が図６の実線位置で停止する。
【００６０】
押圧板７６が実線位置で停止すると、吸引ファン２５が回転を開始して筐体７４内の空気を流動させると共に、案内板９が図６の二点鎖線位置から時計回り方向に回動され、実線位置に位置決めされる。
【００６１】
案内板９の位置決めが完了してマスタ１１ａが所定量搬送されると、制御手段から指令が送られて切断手段５がマスタ１１ａを切断する。切断後、マスタ送り込み手段７によって筐体７４の内部に送り込まれたマスタ１１ａの切れ端１１ｂは、吸引ファン２５の吸引力によって図６の一点鎖線矢印方向に運ばれ、押圧板７６の下面に貼り付く。
【００６２】
マスタ１１ａが切断手段５によって切断されると、制御手段からの指令によって案内板９が反時計回り方向に回動され、図６の実線位置に再び位置決めされる。案内板９の位置決めが完了すると、制御手段からの指令によってプラテンローラー１４が回転し、マスタ１１ａの切断後の先端がマスタ送り込み手段７によって挟持される初期設定位置まで搬送されると、プラテンローラー１４の回転が停止する。制御手段は、プラテンローラー１４の回転を停止させた後、吸引ファン２５の作動を停止させると共に、モーター７８を作動させてカム７９を図８の時計回り方向に回動させ、押圧板７６を図６の反時計回り方向へと回動させる。押圧板７６の下面に貼り付いていた切れ端１１ｂは、その自重と押圧板７６の回動動作とによって下方へ運ばれ、マスタカット貯容部７５の内部に確実に貯容される。
【００６３】
押圧板７６は、カム７９の回転に伴ってアーム７６ｂが支軸７６ａを中心に図８において時計回り方向に回動し、支軸７６ａが図示しないトーションスプリングの付勢力によって時計回り方向に移動されることにより、その自由端部が切れ端１１ｂを介してマスタカット貯容部７５の底面と当接する、図６に二点鎖線で示す位置で停止する。押圧板７６が切れ端１１ｂをマスタカット貯容部７５の底面に押圧する力、つまり、支軸７６ａを図８の時計回り方向に付勢する図示しないトーションスプリングの付勢力は、切れ端１１ｂを僅かに押さえつける適切な付勢力に予め調整されている。
【００６４】
カム７９が回動して短軸部Ｂがアーム７６ｂに当接すると、制御手段はモーター７８の作動を停止させる。カム７９の回動に伴って、上述のように押圧板７６が図６において反時計回り方向に回動するが、この回動途中において作動片７６ｃは定量センサー８０を横切り、定量センサー８０は制御手段へ信号を一定時間だけ出力する。制御手段は、通常はこの定量センサー４５からの信号を一定時間受けた後にモーター７８の作動を停止させるのであるが、切れ端１１ｂがマスタカット貯容部７５の内部に定量溜まり、押圧板７６の下方への回動が多量の切れ端１１ｂによって妨げられて、作動片７６ｃが定量センサー８０を横切った時点で押圧板７６の回動が停止することにより、定量センサー８０からの信号が制御手段に向けて出力され続けた場合には、図示しない操作パネル上に「切れ端定量」の表示をさせて、オペレーターにマスタカット貯容部７５からの切れ端１１ｂの除去を促すように構成されている。
【００６５】
図１０は、本発明の第２の実施例の変形例を示している。この変形例は、上述の第２の実施例と比較すると、マスタストック手段７３に代えて筐体８２を有するマスタストック手段８１を用いた点においてのみ相違する。
【００６６】
筐体８２は、マスタ貯容手段３、製版手段４、切断手段５、マスタ送り込み手段７、案内板９の上方に配設されており、案内板９の上方に位置する部位であって吸引ファン２３の下方に位置する部位に開口８２ａを有している。また、開口８２ａが形成された部位から最も離れた部位である、マスタ貯容手段３と製版手段４との上方に位置する部位であって吸引ファン２５の下方に位置する部位には、マスタカット貯容部７５が、その底部側に配設されている。筐体８２は、開口８２ａが形成された部位からマスタカット貯容部７５が配設された部位に向けて、上方へ滑らかに傾斜した形状を呈している。このように構成された筐体８２を有するマスタストック手段８１を用いることにより、吸引ファン２５の吸引力によって切れ端１１ｂをマスタカット貯容部７５に導く際に、上記第２の実施例に比較して、切れ端１１ｂの導入を滑らか、かつ、確実に行うことができる。
【００６７】
上記実施例及び各変形例において、製版手段４としてサーマルヘッド１３とプラテンローラー１４とを用いたが、マスタ１１ａを選択的に加熱穿孔するものであれば、他の手段を用いてもよい。他の手段としてはレーザー製版、フラッシュ製版等が挙げられる。
【００６８】
【発明の効果】
請求項１記載の発明によれば、排版動作と製版動作とを並行して行うことによってＦＰＴを短縮することができると共に、マスタ貯容手段への初期セット時において、切断手段によって切断されたマスタの切れ端は、導入手段に導かれてマスタストック手段内のマスタカット貯容部に貯容されるので、オペレーター自身が装置内の切断手段近傍へ手を入れてマスタの切れ端を除去する危険な作業が省かれ、作業の安全性が向上すると共に、誰もが簡単にマスタのセット作業を行うことができる。
【００６９】
請求項４記載の発明によれば、切断手段によって切断されたマスタの切れ端は、押圧板によってマスタカット貯容部に押圧されて貯容されるので、切れ端をマスタカット貯容部に多量に貯容することができ、マスタの初期セット時における切れ端の除去回数を減少させることにより、作業効率を向上することができる。
【００７０】
請求項５記載の発明によれば、マスタカット貯容部に貯容されたマスタの切れ端は、貯容量検知手段によってその限界貯容量を検知されるので、切れ端がマスタカット貯容部より溢れて印刷作業に支障を来す不具合を未然に防止することができると共に、切れ端の除去作業を最小限度の回数で行うことにより、作業効率を向上することができる。
【００７１】
請求項６記載の発明によれば、実質的に箱型のマスタカット貯容部は、マスタストック手段に対して着脱自在に設けられているので、切れ端の除去作業を行う際に、従来の装置のように孔版印刷装置の上部をスライドさせる必要がなくなり、装置の簡略化、軽量化、コストダウンを図ることができると共に、切れ端の除去作業を誰にでも非常に簡単に行うことができる。
【００７２】
請求項７記載の発明によれば、切断手段によって切断されたマスタの切れ端がマスタカット貯容部に導入される際に、そのマスタ送り込み手段側が軸支されて回動自在に設けられた案内板が回動手段によって回動されるので、切れ端の先端がマスタストック手段内部に向けて確実に導入され、マスタカット貯容部への切れ端の導入を確実に行うことができる。
【図面の簡単な説明】
【図１】本発明の第１の実施例を採用した孔版印刷装置要部の概略側面図である。
【図２】本発明の第１の実施例を採用したマスタストック手段周辺部の側面図である。
【図３】本発明の第１の実施例を説明する押圧板上下動機構の部分斜視図である。
【図４】本発明の第１の実施例を説明するマスタストック手段周辺部の側面図である。
【図５】本発明の第１の実施例を説明するマスタストック手段周辺部の側面図である。
【図６】本発明の第２の実施例を採用したマスタストック手段周辺部の側面図である。
【図７】本発明の第２の実施例に用いられる押圧板を説明する図である。
【図８】本発明の第２の実施例に用いられるカムを説明する図である。
【図９】本発明の第２の実施例を説明するマスタストック手段周辺部の側面図である。
【図１０】本発明の第２の実施例の変形例を説明するマスタストック手段周辺部の側面図である。
【符号の説明】
１    版胴
２    クランプ手段（クランパー）
３    マスタ貯容手段
４    製版手段
５    切断手段
６，７３，８１    マスタストック手段
７    マスタ送り込み手段
８    マスタ送り出し手段
９    案内板
１１    マスタロール
１１ａ  マスタ
１１ｂ  切れ端
２２ｆ，７４ａ，８２ａ  開口
２６，７５    マスタカット貯容部
２７，７６    押圧板
４５，８０    貯容量検知手段（定量センサー）
【図１】
0003545822.tif 000002
【図２】
0003545822.tif 000003
【図３】
0003545822.tif 000004
【図４】
0003545822.tif 000005
【図５】
0003545822.tif 000006
【図６】
0003545822.tif 000007
【図７】
0003545822.tif 000008
【図８】
0003545822.tif 000009
【図９】
0003545822.tif 000010
【図１０】
0003545822.tif 000011